(57)【特許請求の範囲】
【請求項１】
移動局に実装されることで、前記移動局の複数の機能を実行する演算装置であって、
１つ以上のコンポーネントキャリアを用いてソース基地局及びターゲット基地局と通信する機能と、
前記ソース基地局から前記ターゲット基地局へハンドオフする機能と、
前記ソース基地局から前記ターゲット基地局へハンドオフするための準備過程で、
前記ソース基地局から下り回線のコンポーネントキャリアに関する測定を行うための設定を受信する機能と、
前記設定に基づいて、前記下り回線のコンポーネントキャリアに関する測定を行う機能と、
前記ソース基地局に前記下り回線のコンポーネントキャリアに関する測定結果を送信する機能と、
前記ソース基地局でランク付けされた前記測定結果を用いて前記ターゲット基地局で決定された前記ハンドオフ後に使用しうるコンポーネントキャリアの決定結果を、前記ソース基地局から受信する機能と、
を含む前記複数の機能を実行することを特徴とする演算装置。
【請求項２】
ソース基地局に実装されることで、前記ソース基地局の複数の機能を実行する演算装置であって、
ターゲット基地局及び１つ以上のコンポーネントキャリアを用いて接続モードの移動局と通信する機能と、
前記移動局に下り回線のコンポーネントキャリアに関する測定を行うように設定を行う機能と、
前記移動局から前記下り回線のコンポーネントキャリアに関する測定結果を受信する機能と、
前記測定結果をランク付けする機能と、
前記ターゲット基地局に前記ランク付けした測定結果を送信する機能と、
前記移動局が前記ソース基地局から前記ターゲット基地局へのハンドオフ後に使用しうる、前記ターゲット基地局からのコンポーネントキャリアの決定結果を前記移動局に送信する機能と、
を含む前記複数の機能を実行することを特徴とする演算装置。
【請求項３】
ターゲット基地局に実装されることで、前記ターゲット基地局の複数の機能を実行する演算装置であって、
ソース基地局及び１つ以上のコンポーネントキャリアを用いて接続モードの移動局と通信する機能と、
前記ソース基地局でランク付けされた下り回線のコンポーネントキャリアに関する前記移動局の測定結果を、前記ソース基地局から受信する機能と、
前記ランク付けされた測定結果を用いて、前記移動局が前記ソース基地局から前記ターゲット基地局へのハンドオフ後に使用しうるコンポーネントキャリアを決定する機能と、
を含む前記複数の機能を実行することを特徴とする演算装置。
【発明の詳細な説明】
【技術分野】
【０００１】
本発明は無線通信システムに関する。特に、無線通信システムにおけるコンポーネントキャリア選択システムを構成する移動局、ソース基地局およびターゲット基地局のそれぞれに実装されることで各種機能を実行する演算装置に関する。
【背景技術】
【０００２】
無線通信システムは世界中の多くの人間がコミュニケーションを行うための重要な手段となった。無線通信システムでは、多数の移動局のそれぞれが、１以上の基地局によるサービスの提供を受けることで、移動局間の相互通信が可能になる。
【０００３】
第３世代パートナーシップ計画は、”３ＧＰＰ”とも呼ばれるが、世界中で適用可能な第３および第４世代無線通信システムのための技術仕様書および技術報告書を定めることを目標とする協定である。３ＧＰＰは、次世代の携帯ネットワーク、システム、およびデバイスのための仕様を定める。３ＧＰＰ仕様書において、移動局は、一般的に、使用者装置（ＵＥ）と呼ばれ、基地局はノードＢ（ＮＢ）または発展型ノードＢ（ｅＮＢ）と呼ばれる。
【０００４】
３ＧＰＰの長期的展開（ＬＴＥ；Long Term Evolution）は、将来の要求に応えるために、ユニバーサル移動通信システム（ＵＭＴＳ）に係る携帯電話または装置の標準を発展させる計画に与えられた名称である。ある面において、ＵＭＴＳは、発展型ユニバーサル無線地上波アクセス（Ｅ−ＵＴＲＡ）および発展型ユニバーサル無線地上波アクセスネットワーク（Ｅ−ＵＴＲＡＮ）のサポートおよび仕様を提供するために、変更が加えられてきた。ＬＴＥ−ＡｄｖａｎｃｅｄはＬＴＥの次世代に相当する。
【０００５】
３ＧＰＰ  ＬＴＥ−Ａｄｖａｎｃｅｄの仕様には、別々の（望ましくは非隣接である）周波数の帯域が、コンポーネントキャリアに区分され、その後集約されることを可能にする機能が含められる予定である。各コンポーネントキャリア（ＣＣ）は、１．２５ＭＨｚ〜２０ＭＨｚの帯域幅を含んでいてもよい。最大２０ＭＨｚでの区分を行う理由は、ＬＴＥリリース８および９の使用者装置において、後方互換のための機構を実現するためである。本発明で開示するシステムおよび方法は、無線通信システムにおけるコンポーネントキャリア選択に関する(例えば、ＬＴＥ−Ａｄｖａｎｃｅｄシステム)。
【発明の概要】
【発明が解決しようとする課題】
【０００６】
本発明の目的は、無線通信システムにおけるコンポーネントキャリア選択システムおよび方法を実現することにある。
【課題を解決するための手段】
【０００７】
本発明に係る演算装置は、移動局に実装されることで、前記移動局の複数の機能を実行する演算装置であって、１つ以上のコンポーネントキャリアを用いてソース基地局及びターゲット基地局と通信する機能と、前記ソース基地局から前記ターゲット基地局へハンドオフする機能と、前記ソース基地局から前記ターゲット基地局へハンドオフするための準備過程で、前記ソース基地局から下り回線のコンポーネントキャリアに関する測定を行うための設定を受信する機能と、前記設定に基づいて、前記下り回線のコンポーネントキャリアに関する測定を行う機能と、前記ソース基地局に前記下り回線のコンポーネントキャリアに関する測定結果を送信する機能と、前記ソース基地局でランク付けされた前記測定結果を用いて前記ターゲット基地局で決定された前記ハンドオフ後に使用しうるコンポーネントキャリアの決定結果を、前記ソース基地局から受信する機能と、を含む前記複数の機能を実行する構成である。
【０００８】
本発明に係る演算装置は、ソース基地局に実装されることで、前記ソース基地局の複数の機能を実行する演算装置であって、ターゲット基地局及び１つ以上のコンポーネントキャリアを用いて接続モードの移動局と通信する機能と、前記移動局に下り回線のコンポーネントキャリアに関する測定を行うように設定を行う機能と、前記移動局から前記下り回線のコンポーネントキャリアに関する測定結果を受信する機能と、前記測定結果をランク付けする機能と、前記ターゲット基地局に前記ランク付けした測定結果を送信する機能と、前記移動局が前記ソース基地局から前記ターゲット基地局へのハンドオフ後に使用しうる、前記ターゲット基地局からのコンポーネントキャリアの決定結果を前記移動局に送信する機能と、を含む前記複数の機能を実行する構成である。
【０００９】
本発明に係る演算装置は、ターゲット基地局に実装されることで、前記ターゲット基地局の複数の機能を実行する演算装置であって、ソース基地局及び１つ以上のコンポーネントキャリアを用いて接続モードの移動局と通信する機能と、前記ソース基地局でランク付けされた下り回線のコンポーネントキャリアに関する前記移動局の測定結果を、前記ソース基地局から受信する機能と、前記ランク付けされた測定結果を用いて、前記移動局が前記ソース基地局から前記ターゲット基地局へのハンドオフ後に使用しうるコンポーネントキャリアを決定する機能と、を含む前記複数の機能を実行する構成である。
【発明の効果】
【００１０】
本発明に係る演算装置によれば、無線通信システムにおけるコンポーネントキャリア選択システムおよび方法を実現することができる。
【００１１】
本発明の前記およびその他の目的、特徴、特別な効果は、下記の図面を伴う発明の詳細な説明を考慮することによってさらに容易に理解されるであろう。
【図面の簡単な説明】
【００１２】
【図１】図１は、本明細書に開示された方法の少なくとも一部を使用した無線通信システムを示している。
【図２】図２は、図１の無線通信システムにおけるコンポーネントキャリア選択の方法を示している。
【図３】図３は、本発明に開示された方法の少なくとも一部を使用した無線通信システムを示している。
【図４】図４は、図３の無線通信システムにおけるコンポーネントキャリア選択の第１の方法を示す。
【図５】図５は、図３の無線通信システムにおけるコンポーネントキャリア選択の第２の方法を示す。
【図６】図６は、使用者装置を切り換えるにあたってコンポーネントキャリアを選択するための方法を示す。
【図７】図７は、使用者装置を切り換えるにあたってコンポーネントキャリアを選択するための別の方法を示す。
【図８】図８は、使用者装置を切り換えるにあたってコンポーネントキャリアを選択するためのまた別の方法を示す。
【図９】図９は、使用者装置を切り換えるにあたってコンポーネントキャリアを選択するためのまた別の方法を示す。
【図１０】図１０は、使用者装置を切り換えるにあたってコンポーネントキャリアを選択するためまた別の方法を示す。
【図１１】図１１は、使用者装置を切り換えるにあたってコンポーネントキャリアを選択するためのまた別の方法を示す。
【図１２】図１２は、他のコンポーネントキャリアへ切り換える試行に集中している使用者装置によって実行される第１の方法を示す。
【図１３】図１３は、他のコンポーネントキャリアへ切り換える試行に集中している使用者装置によって実行される第２の方法を示す。
【図１４】図１４は、使用者装置を切り換えるにあたってコンポーネントキャリアを選択するためのまた別の方法を示す。
【図１５】図１５は、使用者装置を切り換えるにあたってコンポーネントキャリアを選択するための別の方法を示す。
【図１６】図１６は、使用者装置の切り換え先のｅＮＢを選択するための方法を示す。
【図１７】図１７は、他のｅＮＢの再選択または他のコンポーネントキャリアの再環境設定を決定するために使用者装置において実行される方法を示す。
【図１８】図１８は、再環境設定に失敗したあとに、他のｅＮＢの再選択が必要かどうかを判断するために、使用者装置において実行される方法を示す。
【図１９】図１９は、再環境設定に失敗したあとに、他のｅＮＢの再選択が必要かどうかを判断するために、使用者装置において実行される他の方法を示す。
【図２０】図２０は、本明細書で開示された方法の少なくとも一部が用いられた別の無線通信システムを示す。
【図２１】図２１は、図２０の無線通信システムにおけるコンポーネントキャリア選択のための方法を示す。
【図２２】図２２は、本明細書で開示された方法の少なくとも一部が用いられた無線通信システムを示す。
【図２３】図２３は、図２２の無線通信システムにおけるコンポーネントキャリア選択のための方法を示す。
【図２４】図２４は、本明細書において開示された方法の少なくとも一部が用いられた別の無線通信システムを示す。
【図２５】図２５は、図２４の無線通信システムにおけるコンポーネントキャリア選択のための方法を示す。
【図２６】図２６は、図２４の無線通信システムにおけるコンポーネントキャリア選択のための別の方法を示す。
【図２７】図２７は、再環境設定がなされる前にその他のコンポーネントキャリアを測定するように命令するＲＡＣＨ過程を示す。
【図２８】図２８は、再環境設定がなされる前にその他のコンポーネントキャリアを測定するように命令するＲＡＣＨ過程を示す。
【図２９Ａ】図２９Ａは、使用者装置にとって最善となるコンポーネントキャリアの周波数帯域のペアを決定するためにｅＮＢによって実行される方法を示す。
【図２９Ｂ】図２９Ｂは、使用者装置にとって最善となるコンポーネントキャリアの周波数帯域を決定するために、ｅＮＢによって実行される方法を示す。
【図３０】図３０は、通信装置で使用される種々のコンポーネントを示す。
【発明を実施するための形態】
【００１３】
明解にするため、３ＧＰＰ  ＬＴＥおよびＬＴＥ−Ａｄｖａｎｃｅｄ標準からの用語を使用して、本発明で開示されたシステムおよび方法が記述される。しかしながら、本発明の目的範囲はこの記述の限りではない。ここで開示されるシステムおよび方法は、その他のタイプの無線通信システムにおいても使用することができる。
【００１４】
上記のように、ここで開示されるシステムおよび方法は、一般に、無線通信システム（例えばＬＴＥ−Ａｄｖａｎｃｅｄシステム）におけるコンポーネントキャリア(ＣＣ)選択に関するものである。はじめに、待機モードにある使用者装置のためのコンポーネントキャリア選択に関するシステムおよび方法が述べられる。
【００１５】
下り回線（ＤＬ）の信号測定を通して参照信号（ＲＳ）の電力が閾値を下回ったことを検知したとき、待機モードにあるＬＴＥリリース８の使用者装置は、他のｅＮＢを再選択することを試みる。ＬＴＥリリース８では、データチャネルにおいて使用者装置が認識する干渉レベルは、参照信号電力に密接に関係しているので、再選択のアルゴリズムに干渉電力を因子として含めることは必要ではない。ＬＴＥ−Ａｄｖａｎｃｅｄシステムには、干渉の新たな原因があるので、参照信号電力と干渉との強い関係性に頼ることは、もはや有効でない。そのため、使用者装置の再選択アルゴリズムに、干渉電力測定を因子として加えることが有効であるかもしれない。ＬＴＥ−Ａｄｖａｎｃｅｄシステムでは、使用者装置は待機モード（すなわち、コンポーネントキャリアにキャンプしているとき）において、５つまでのコンポーネントキャリアをどれでも監視することが可能である。そのため、コンポーネントキャリア（１）にキャンプしている使用者装置が干渉を検知したときには、必ずしもその干渉源がコンポーネントキャリア（ｎ）に影響を与えているとは限らない。そのため、（（参照信号電力）＜（閾値電力）||（干渉電力）＞（干渉電力閾値））という条件を再選択の開始条件とすることは必ずしも望ましくない。
【００１６】
コンポーネントキャリア(ＣＣ)選択の方法が開示される。待機モードにある使用者装置(ＵＥ)は、発展型ノードＢ(ｅＮＢ)から参照信号（ＲＳ）を受信する。上記使用者装置は、上記参照信号に関する信号品質測定結果を取得する。上記使用者装置は、上記信号品質測定結果に基づいて、新たなコンポーネントキャリアに切り換える。上記信号品質測定結果は、受信電力および干渉電力を含む。
【００１７】
上記使用者装置は、上記受信電力が受信電力閾値以上である場合、上記受信干渉電力が干渉電力の閾値を超えている場合、かつ、上記ｅＮＢが少なくとも一つの他の使用可能なコンポーネントキャリアを有している場合に、新たなコンポーネントキャリアに切り換える。また、上記使用者装置は、上記受信電力が受信電力の閾値未満に低下しない場合、上記使用者装置が上記ｅＮＢから送信されたデータパケットを復号できない場合、かつ、上記ｅＮＢが少なくとも一つの使用可能な他のコンポーネントキャリアを有している場合に、新たなコンポーネントキャリアに切り換える。上記使用者装置は新たなコンポーネントキャリアへ切り換えることに成功したとき、ｅＮＢに信号連絡する。
【００１８】
切り換え先のコンポーネントキャリアの選択において、上記使用者装置は、より高い周波数において次に使用可能なコンポーネントキャリアを選択することにより、または、より高い周波数において使用可能なコンポーネントキャリアがない場合、使用可能な最も低い周波数のコンポーネントキャリアを選択することができる。また、上記使用者装置は、より低い周波数において次に使用可能なコンポーネントキャリアを選択することにより、または、より低い周波数において使用可能なコンポーネントキャリアがない場合、使用可能な最も高い周波数のコンポーネントキャリアを選択することにより選択することができる。別の代案としては、上記使用者装置は、Ｎを使用可能なコンポーネントキャリアの総数とすると、１〜Ｎの番号をランダムに選択することによって、上記使用者装置の切り換え先のコンポーネントキャリアを選択することができる。
【００１９】
また別の代案として、上記ｅＮＢにより上記使用者装置に信号連絡されたコンポーネントキャリアのシーケンスによって、上記使用者装置の切り換え先のコンポーネントキャリアを選択してもよい。また別の代案としては、どのコンポーネントキャリアへ切り換えるべきかを上記ｅＮＢが上記使用者装置に通知するように要求すること、および、上記使用者装置が切り換えるべき先のコンポーネントキャリアの指示を上記ｅＮＢから受信することによって、上記使用者装置の切り換え先のコンポーネントキャリアを選択してもよい。また別の代案では、上記使用者装置は、セル識別子、使用者装置識別子などから導出したコンポーネントキャリアのシーケンスによって、上記使用者装置の切り換え先のコンポーネントキャリアを選択してもよい。
【００２０】
また別の代案では、上記使用者装置は、他の使用可能なコンポーネントキャリアに関する信号品質測定結果を取得すること、上記信号品質測定結果に対して加重値を適用すること、および、上記加重値が適用された測定結果に選択基準を適用することによって、上記使用者装置の切り換え先のコンポーネントキャリアを選択してもよい。
【００２１】
また別の代案では、上記使用者装置は、他の使用可能なコンポーネントキャリアに関する信号品質測定結果を取得すること、および、上記他の使用可能なコンポーネントキャリアの上記信号品質測定結果およびオフセットに基づいて、上記他の使用可能なコンポーネントキャリアについてのランキング（rankings）を生成することによって、上記使用者装置の切り換え先のコンポーネントキャリアを選択してもよい。上記使用者装置は、近隣のコンポーネントキャリアのオフセットに基づいて、上記ｅＮＢによって調整される特定のコンポーネントキャリアのオフセットを決定してもよい。また、上記使用者装置は、特定のコンポーネントキャリアの送信電力に基づいて、上記ｅＮＢによって調整される特定のコンポーネントキャリアのオフセットを決定してもよい。また別の代案では、上記使用者装置は、他のコンポーネントキャリアの干渉レベルに基づいて、上記ｅＮＢによって調整される特定のコンポーネントキャリアのオフセットを決定してもよい。上記ランキングもまた、コンポーネントキャリア間のオフセットに基づいて生成されてもよい。
【００２２】
上記使用者装置は、上記信号品質測定結果が取得され、セル識別子に基づいて上記ランキングが生成される上記他の使用可能なコンポーネントキャリアを選択してもよい。また、上記使用者装置は、上記信号品質測定結果が取得され、使用者装置識別子に基づいて上記ランキングが生成される上記他の使用可能なコンポーネントキャリアを選択してもよい。
【００２３】
上記使用者装置は、他のｅＮＢについて、受信電力および受信干渉電力を含む信号品質測定結果を取得してもよい。上記信号品質測定結果は、受信電力と受信干渉電力とを含んでいてもよい。上記使用者装置は、上記受信電力に基づいて、上記他のｅＮＢについてのランキングを生成してもよい。上記使用者装置は、特定のｅＮＢについての上記受信干渉電力が閾値を超える場合、上記ランキングが生成される前に、上記ｅＮＢの上記受信電力にオフセットを適用してもよい。
【００２４】
上記使用者装置は、上記使用者装置が、所定の時間周期内で、新たなコンポーネントキャリアに切り換えることの試行にｍ回失敗した場合、他のｅＮＢに切り換えてもよい。また別の代案では、上記使用者装置は、上記使用者装置が、新たなコンポーネントキャリアに切り換えることの試行に連続してｍ回失敗した場合、他のｅＮＢに切り換えてもよい。
【００２５】
待機モードにおけるコンポーネントキャリア（ＣＣ）選択のために構成された使用者装置（ＵＥ）もまた開示される。使用者装置は、演算装置、当該演算装置と電気的に通信している記憶装置、および上記記憶装置に記憶された命令を含む。上記命令は、発展型ノードＢ（ｅＮＢ）から参照信号（ＲＳ）を受信する処理、上記参照信号に関する信号品質測定結果を取得する処理、および上記信号品質測定結果に基づいて、新たなコンポーネントキャリアに切り換える処理を実行可能である。
【００２６】
図１は、使用者装置１０２およびｅＮＢ１０４を含む無線通信システム１００を示す。使用者装置１０２は、携帯電話網などの無線通信ネットワークを介した、声および／またはデータ通信のために使用される電子装置である。使用者装置１０２は、携帯電話機、スマートフォン、多機能電子端末（ＰＤＡ）、ノートパソコンまたはパソコンに内蔵されるカードなどである。上記ｅＮＢ１０４は、使用者装置１０２およびネットワークの間の無線通信を促す。ｅＮＢ１０４は、周囲を自由に動き回る使用者装置との通信に使用される、無線周波数発信部および受信部を有する備え付けの局である。使用者装置１０２からｅＮＢ１０４へ発信された信号は上り回線信号と呼ばれ、ｅＮＢ１０４から使用者装置１０２へ発信された信号は下り回線信号と呼ばれる。
【００２７】
使用者装置１０２およびｅＮＢ１０４は、ＬＴＥ−Ａｄｖａｎｃｅｄ標準に準拠して動作するように構成される。ｅＮＢ１０４に割り当てられた周波数帯域幅の全体は、別々のコンポーネントキャリア１１０に区分される。無線電気通信が、使用可能なコンポーネントキャリア１１０のうちの一つを介して、使用者装置１０２とｅＮＢ１０４との間で発生する。図１に示されたその他の構成要素については、図２に示された方法と対応付けて、以下において説明される。
【００２８】
図２は、無線通信システム１００における、コンポーネントキャリア選択方法２００を示す。上記方法２００は使用者装置１０２が待機モードにあるときに実行される。使用者装置１０２は、ｅＮＢ１０４から、特定のコンポーネントキャリア１１０を介して参照信号（ＲＳ）１０８を受信する（２０２）。上記特定のコンポーネントキャリア１１０は、本明細書中では”現時点”のコンポーネントキャリアと呼ばれる。使用者装置１０２は、参照信号１０８に関して信号品質測定結果１０６を取得する（２０４）。信号品質測定結果１０６は、現時点のコンポーネントキャリア１１０の信号品質についての情報を提供する。信号品質測定結果１０６は、受信電力１１６および受信干渉電力１１８を含む。使用者装置１０２は、信号品質測定結果１０６に基づいて、新たなコンポーネントキャリア１１０へ切り換える（２０６）。例えば、信号品質測定結果１０６が、現時点のコンポーネントキャリア１１０の受信電力１１６は許容範囲である一方で、コンポーネントキャリア１１０の受信干渉電力１１８は高過ぎであること、および、適度な受信電力１１６とより小さい受信干渉電力１１８とを提供することのできる、少なくとも一つの利用可能な他のコンポーネントキャリア１１０が存在することを示している場合、使用者装置１０２は、当該他のコンポーネントキャリア１１０へ切り換える（２０６）。本明細書において、”切り換える”とは、使用者装置１０２が、現時点のｅＮＢ１０４における他のコンポーネントキャリア１１０に、周波数を再調整し、当該他のコンポーネントキャリア１１０を監視することを意味する。
【００２９】
図３は、使用者装置３０２、ｅＮＢ３０４ａ、および、１以上の他のｅＮＢ３０４ｂを含む無線通信システム３００を示す。使用者装置３０２およびｅＮＢ３０４ａは、ＬＴＥ−Ａｄｖａｎｃｅｄ標準に準拠して動作するように構成されており、無線電気通信は、複数のコンポーネントキャリア３１０のうちのひとつを介して、使用者装置３０２とｅＮＢ３０４ａとの間に発生する。図３のその他の項目については、のちに、図４〜１６に示す方法と対応づけて説明する。
【００３０】
図４は、無線通信システム３００におけるコンポーネントキャリア選択方法４００を示す。上記方法４００は、使用者装置３０２が待機モードにあるときに実行される。使用者装置３０２は、ある特定のコンポーネントキャリア３１０を介して、ｅＮＢ３０４ａから参照信号（ＲＳ）３１２を受信する（４０２）。上記特定のコンポーネントキャリア３１０は、本明細書では”現時点の”コンポーネントキャリア３１０と呼ばれる。使用者装置３０２は、参照信号３１２に関する信号品質測定結果３０６を取得する（４０４）。信号品質測定結果３０６は、参照信号３１２に関する受信電力３１６および受信干渉電力３１８を含む。
【００３１】
ＬＴＥ−Ａｄｖａｎｃｅｄシステムにおける干渉電力測定は、以下に述べるソースのうちの一つを基礎としている。すなわち、ＲＳＳＩ（参照信号強度表示；Reference Signal Strength Indicator）、ＲＳＲＱ（受信参照信号品質；Reference Signal Received Quality）、ＣＱＩ（チャネル品質指標；Channel Quality Indicator）、カスタム化された参照信号である。ＲＳＲＱによる推定（すなわち、負荷＝＝ｅＮＢ３０４ａによって伝搬されるデータトラフィックの総量）を改善するために、ネットワークによって、追加の負荷に基づく測定基準が使用者装置３０２へ送信されてもよい。
【００３２】
使用者装置３０２は、受信電力３１６が所定の閾値３２０未満であるかどうか判断する（４０６）。閾値３２０は、本明細書中では電力閾値３２０と呼ばれる。受信電力３１６が電力閾値３２０以上である場合、使用者装置３０２は、受信干渉電力３１８が閾値３２２を超えているかどうか判定する（４０８）。閾値３２２は本明細書中では、干渉電力閾値３２２と呼ばれる。受信干渉電力３１８が干渉電力閾値３２２以下である場合、コンポーネントキャリア選択の方法４００は終了する。
【００３３】
受信干渉電力３１８が干渉電力閾値３２２を超えている場合、使用者装置３０２は、ｅＮＢ３０４ａと通信を行うための、少なくとも一つの使用可能な他のコンポーネントキャリア３１０が存在するかどうか確認する（４１０）。存在しない場合、コンポーネントキャリア選択方法３００は終了する。一方、少なくとも一つの使用可能な他のコンポーネントキャリア３１０が存在する場合、使用者装置３０２は、切り換える先のコンポーネントキャリア３１０を選択し（４１２）、上記使用者装置３０２は、当該選択したコンポーネントキャリア３１０に切り換える（４１４）。
【００３４】
使用者装置３０２は、受信電力３１６が電力閾値３２０未満であると判定した場合（４０６）、このｅＮＢ３０４ａに、電力閾値３２０を超える参照信号電力を有するコンポーネントキャリア３１０が存在するかどうかを判定する（４１５）。もし存在するならば、方法４００は判定ブロック（４０８）へ移行し、前記の手順を継続する。使用者装置３０２は、このｅＮＢ３０４ａには電力閾値３２０よりも大きな参照信号電力を有するコンポーネントキャリア３１０が一つもないと判定した場合（４１５）、他のｅＮＢ３０４ｂへ切り換える（４１６）。
【００３５】
図５は、無線通信システム３００における、他のコンポーネントキャリア選択方法５００を示す。上記方法５００は、使用者装置３０２が待機モードにあるときに実行される。使用者装置３０２は、ある特定のコンポーネントキャリア３１０を介して、ｅＮＢ３０４ａから参照信号（ＲＳ）３１２を受信する（５０２）。上記ある特定のコンポーネントキャリア３１０は、本明細書では”現時点の”コンポーネントキャリア３１０と呼ばれる。使用者装置３０２は、参照信号３１２に関する受信電力３１６を取得する（５０４）。使用者装置３０２は受信電力３１６が電力閾値３２０未満であるかどうかを判定する（５０６）。
【００３６】
受信電力３１６が電力閾値３２０未満でなかった場合、使用者装置３０２は、ｅＮＢ３０４ａから受け取ったデータパケット３１４の復号を試みる（５０８）。データパケット３１４はｅＮＢ３０４ａによってＰＤＣＣＨ、ＰＢＣＨなどを介してブロードキャストされる。データパケット３１４が復号可能である場合、コンポーネントキャリア選択方法５００は終了する。データパケット３１４が復号可能でない場合、使用者装置３０２は、ｅＮＢ３０４ａと通信するための、少なくとも一つの他のコンポーネントキャリア３１０が存在するかどうか判定する（５１０）。存在しない場合、コンポーネントキャリア選択方法５００は終了する。一方、少なくとも一つの他のコンポーネントキャリア３１０が存在する場合、使用者装置３０２は、ひとつのコンポーネントキャリア３１０を選択し（５１２）、選択したコンポーネントキャリア３１０に切り換える（５１４）。 
【００３７】
使用者装置３０２は、受信電力３１６が電力閾値３２０未満であると判定した場合５０６、このｅＮＢ３０４ａに、電力閾値３２０を超える参照信号電力を有しているコンポーネントキャリア３１０が存在するかどうかを判定する５１５。存在する場合、方法５００は判定ブロック（５０８）へ移行し、上記の手順を継続する。使用者装置３０２は、このｅＮＢ３０４ａには電力閾値３２０を超える参照信号電力を有するコンポーネントキャリア３１０が一つも存在しないと判定した場合（５１５）、他のｅＮＢ３０４ｂへ切り換える。
【００３８】
図４および図５に示された方法は、どちらも、使用者装置３０２の切り換え先のコンポーネントキャリア３１０を選択する手順（４１２，５１２）を含む。この手順を完遂するためには、多くの方法がある。
【００３９】
図６は、使用者装置３０２の切り換え先のコンポーネントキャリア３１０を選択する（４１２，５１２）方法６００を示す。使用者装置３０２は、（現時点のコンポーネントキャリア３１０と比較して）より高い周波数において使用可能なコンポーネントキャリア３１０が存在するかどうかを判定する（６０２）。存在する場合、使用者装置３０２はより高い周波数において次に使用可能なコンポーネントキャリア３１０を選択する（６０４）。もし存在しない場合、使用者装置３０２は（現時点のコンポーネントキャリア３１０以外で）使用可能な最も低い周波数のコンポーネントキャリア３１０を選択する（６０６）。
【００４０】
図７は、使用者装置３０２の切り換え先のコンポーネントキャリア３１０を選択する（４１２，５１２）別の方法７００を示す。使用者装置３０２は、（現時点のコンポーネントキャリア３１０と比較して）より低い周波数において使用可能なコンポーネントキャリア３１０が存在するかどうか確認する（７０２）。存在する場合、使用者装置３０２は、より低い周波数において、次に使用可能なコンポーネントキャリア３１０を選択する（７０４）。一方、存在しない場合、使用者装置３０２は（現時点のコンポーネントキャリア３１０以外で）使用可能な最も高い周波数のコンポーネントキャリア３１０を選択する（７０６）。
【００４１】
図８は、使用者装置３０２の切り換え先のコンポーネントキャリア３１０を選択する（４１２，５１２）また別のコンポーネントキャリア選択方法８００を示す。使用者装置３０２は、使用可能なＮ個のコンポーネントキャリア３１０のそれぞれを、１からＮまでの番号と対応付け（８０２）て、使用可能なコンポーネントキャリア３１０のそれぞれが異なる番号に対応するようにする。使用者装置３０２は、１〜Ｎの番号をランダムに選択する（８０４）。そして、使用者装置３０２は、上記ランダムに選択した番号に対応するコンポーネントキャリア３１０を選択する（８０６）。ランダムな番号選択の結果が、現時点のコンポーネントキャリア３１０に相当していた場合、選択された番号が現時点のコンポーネントキャリア３１０に相当しなくなるまで、上記ランダムな番号選択の手順が繰り返される。
【００４２】
図９は、使用者装置３０２の切り換え先のコンポーネントキャリア３１０を選択する（４１２，５１２）、また別のコンポーネントキャリア選択方法９００を示す。使用者装置３０２は、ｅＮＢ３０４ａからコンポーネントキャリア３１０のシーケンス３２４を受信する（９０２）。シーケンス３２４は、現時点のコンポーネントキャリア３１０のあとに、どのコンポーネントキャリア３１０が選択されるべきかを特定する。使用者装置３０２は、シーケンス３２４に基づいて、切り換え先のコンポーネントキャリア３１０を選択する（９０４）。
【００４３】
図１０は、使用者装置３０２の切り換え先のコンポーネントキャリア３１０を選択する（４１２，５１２）、また別のコンポーネントキャリア選択方法１０００を示す。使用者装置３０２は、ｅＮＢ３０４ａに、どのコンポーネントキャリア３１０に切り換えるべきかを通知するよう要求する（１００２）。これに応じて、使用者装置３０２は、ｅＮＢ３０４ａから、使用者装置３０２が切り換るべき先のコンポーネントキャリア３１０の指示を受信する（１００４）。
【００４４】
図１１は、使用者装置３０２の切り換え先のコンポーネントキャリア３１０を選択する（４１２，５１２）また別のコンポーネントキャリア選択方法１１００を示す。使用者装置３０２は、識別子３２６からシーケンス３２４を導出する（１１０２）。識別子３２６は、セル識別子、使用者装置識別子などである。使用者装置３０２は、上記導出したシーケンス３２４に基づいて、切り換え先のコンポーネントキャリア３１０を選択する（１１０４）。
【００４５】
図４および図５に示された方法と対応付けながら先に説明したように、ある状況において、使用者装置３０２は他のコンポーネントキャリア３１０に切り換える（４１４，５１４）。図１２は、他のコンポーネントキャリア３１０に切り換えること（４１４，５１４）の試行に関連して、使用者装置３０２によって実行される方法１２００を示す。
【００４６】
図示のように、方法１２００では、使用者装置３０２が他のコンポーネントキャリア３１０に切り換えることを試行する（１２０２）。使用者装置３０２は、他のコンポーネントキャリア３１０へ切り換えることに成功したと判定した場合（１２０４）、変数３２８（ここでは失敗試行回数変数３２８と呼ぶ）をゼロにリセットする（１２０６）。また、使用者装置３０２は、ｅＮＢ３０４ａに、使用者装置３０２が他のコンポーネントキャリア３１０へ切り換えることに成功したことを通知するための信号連絡を行う（１２１６）。一方、使用者装置３０２は、他のコンポーネントキャリア３１０へ切り換えることに失敗したと判定した場合（１２０４）、失敗試行回数変数３２８を増加させる（１２０８）。
【００４７】
使用者装置３０２は、さらに、所定の時間周期３３０が経過したかどうか判定する（１２１０）。上記周期時間３３０が経過していた場合、上記方法１２００は終了する。一方、時間周期３３０が経過していなかった場合、使用者装置３０２は、失敗試行回数変数３２８が所定の値に等しいかどうかを判定する（１２１２）。ここで、上記所定の値を、本明細書中では”ｍ”とする（時間周期３３０およびｍの値は、設定可能であり、ｅＮＢ３０４ａによって使用者装置３０２に信号連絡されてもよい）。失敗試行回数変数３２８がｍに等しくないと判定された場合（１２１２）、上記方法１２００は終了する。一方、失敗試行回数変数３２８がｍに等しいと判定された場合（１２１２）、使用者装置３０２は、他のｅＮＢ３０４ｂに切り換える。
【００４８】
図１３は、他のコンポーネントキャリア３１０へ切り換えること（４１４，５１４）の試行に関連して、使用者装置３０２によって実行される他の方法１３００を示す。図示のように方法１３００では、使用者装置３０２が他のコンポーネントキャリア３１０へ切り換えることを試行する（１３０２）。使用者装置３０２は、他のコンポーネントキャリア３１０へ切り換えることに成功したと判定した場合（１３０４）、失敗試行回数変数３２８をゼロにリセット（１３０６）し、ｅＮＢ３０４ａに、他のコンポーネントキャリア３１０への切り換えに成功したことを通知するための信号連絡を行う（１３０８）。
【００４９】
一方、使用者装置３０２は、他のコンポーネントキャリア３１０へ切り換えることに失敗したと判断した場合（１３０４）、失敗試行回数変数３２８を増加させる（１３１０）。使用者装置３０２は、失敗試行回数変数３２８が所定の値（ｍ）に等しいかどうか判定する（１３１２）。失敗試行回数変数３２８が、ｍに等しくないと判定された場合（１３１２）、上記方法１３００は終了する。一方、失敗試行回数変数３２８がｍに等しいと判定された場合（１３１２）、使用者装置３０２は他のｅＮＢ３０４ｂに切り換える（１３１４）。
【００５０】
図１４は、使用者装置３０２の切り換え先のコンポーネントキャリア３１０を選択する（４１２，５１２）、また別のコンポーネントキャリア選択方法１４００を示す。使用者装置３０２は、他の利用可能なコンポーネントキャリア３１０について、信号品質測定結果３３２を取得する（１４０２）。信号品質測定結果３３２は受信電力３３４および受信干渉電力３３６を含む。使用者装置３０２は、信号品質測定結果３３２に加重値３３８を適用する（１４０４）。加重値３３８はｅＮＢ３０４ａによって与えられたものであり、各加重値３３８は特定のコンポーネントキャリアの受信電力３３４または受信干渉電力３３６の値と関連付けられている。また、使用者装置３０２は、加重値が適用された測定結果に選択基準３４０を適用する（１４０６）。最善のコンポーネントキャリア３１０のための選択基準３４０は、最大の受信電力３４０、最小の受信干渉電力３３６、またはそれらの組み合わせであってもよい。
【００５１】
図１５は、使用者装置３０２の切り換え先のコンポーネントキャリア３１０を選択する（４１２、５１２）、また別のコンポーネントキャリア選択方法１５００を示す。使用者装置３０２は、識別子３２６に基づき、信号品質測定結果３３２が取得される使用可能なコンポーネントキャリア３１０を選択する（１５０２）。識別子３２６は、セル識別子、使用者装置識別子などである。使用者装置３０２は、選択したコンポーネントキャリア３１０に関する信号品質測定結果３３２を取得する（１５０４）。使用者装置３０２は、上記コンポーネントキャリア３１０のオフセット（例えば、Ｑオフセット）を決定する（１５０６）。使用者装置３０２は、近隣のコンポーネントキャリア３１０のオフセット３４２に基づいて、特定のコンポーネントキャリア３１０のオフセット３４２が、ｅＮＢ３０４ａにより調整されていることを判定してもよい（１５０８）。使用者装置３０２は、コンポーネントキャリア３１０の受信電力３３４に基づいて、特定のコンポーネントキャリア３１０のオフセット３４２が、ｅＮＢ３０４ａにより調整されていることを判定してもよい（１５１０）。使用者装置３０２は、受信干渉電力３３６に基づいて、特定のコンポーネントキャリア３１０のオフセット３４２が、ｅＮＢ３０４ａにより調整されていることを判定してもよい（１５１２）。場合によっては、コンポーネントキャリア３１０の間のオフセット３４２が利用される（例えばＱオフセットコンポーネント）。コンポーネントキャリア３１０の間のオフセット３４２は、仕様書において定められている現時点のＱオフセット周波数を修正したものであってもよいし、上記コンポーネントキャリア３１０のためだけに定められた新たなオフセットであってもよい。使用者装置３０２は、信号品質測定結果３３２およびオフセット３４２に基づき、コンポーネントキャリア３１０のランキング（rankings）３４４を生成する（１５１４）。
【００５２】
図４および５に示された方法では、使用者装置３０２は、ある状況下において、他のｅＮＢ３０４ｂに切り換える（４１６，５１６）。図１６は、使用者装置３０２が切り換えるべき先のｅＮＢ３０４ｂを選択する方法１６００を示している。上記方法１６００は、現時点のｅＮＢ３０４ａが、ＬＴＥ−ＡｄｖａｎｃｅｄまたはＬＴＥに準拠して動作するように構成されている場合に実行される。
【００５３】
使用者装置３０２は、他のｅＮＢ３０４ｂに関する信号品質測定結果３４６を取得する（１６０２）。信号品質測定結果３４６は、受信電力３４８および受信干渉電力３５０を含む。使用者装置３０２は、受信干渉電力３５０が干渉電力閾値３２２を超えている、各々のｅＮＢ３０４ｂの受信電力３４８に、オフセット３５２（例えば、Ｑオフセット）を適用する（１６０４）。オフセット３５２の大きさは、干渉電力３５０のレベルに関連している。使用者装置３０２は、受信電力３４８およびオフセット３５２に基づき、その他のｅＮＢ３０４ｂのランキング（rankings）３５４を生成する（１６０６）
図１７は、他のｅＮＢの再選択または他のコンポーネントキャリアの再環境設定を決定するために、使用者装置によって実行される方法１７００を示す。上記方法１７００では、使用者装置３０２は、参照信号の受信電力が所定の電力閾値未満であるかどうか判定する（１７０２）。参照信号の受信電力が所定の電力閾値以上である場合、使用者装置３０２は、参照信号の干渉電力が所定の干渉電力閾値を超えているかどうか決定する（１７０４）。超えている場合、使用者装置３０２は、自身が現在ＬＴＥ−Ａｄｖａｎｃｅｄ型のｅＮＢにキャンプしているかどうか判定する（１７０８）。キャンプしている場合、使用者装置３０２は、他のキャンプ可能なコンポーネントキャリアが存在するかどうか判定する（１７１０）。存在する場合、使用者装置３０２は、現時点のサービスｅＮＢに含まれる別のコンポーネントキャリアを再環境設定する（１７１４）。使用者装置は、ＬＴＥ−Ａｄｖａｎｃｅｄ型のｅＮＢにはキャンプしていないと判定した（１７０８）場合、または、キャンプ先となる他のコンポーネントキャリアは一つも存在しないと判定した（１７１０）場合、他のｅＮＢを再選択する（１７１２）。
【００５４】
使用者装置は、参照信号の干渉電力が定められた干渉電力閾値を超えていないと判定した場合（１７０４）、現時点のサービスｅＮＢからのデータをうまく復号できるかどうか判定する（１７０６）。復号できる場合、上記方法は終了する。復号できない場合、使用者装置は、ＬＴＥ−Ａｄｖａｎｃｅｄ型のｅＮＢにキャンプしているかどうか判定し（１７０８）、そして上記の手順を継続する。
【００５５】
使用者装置は、干渉信号の受信電力が定められた電力閾値未満であるかどうか判定し（１７０２）、このｅＮＢに、電力閾値を超える参照信号電力を有するコンポーネントキャリアが存在するかどうか判定する（１７１５）。存在する場合、方法１７００は判定ブロック（１７０４）へ進み、上記の手順を継続する。使用者装置は、このｅＮＢに、電力閾値を超えた参照信号電力を有するコンポーネントキャリアが一つもないと判定した場合（１７１５）、他のｅＮＢを再選択する（１７１２）。
【００５６】
図１８は、再環境設定に失敗したあとで、他のｅＮＢの再選択が必要かどうか判定するため、使用者装置によって実行される方法１８００を示す。上記方法１８００では、使用者装置は、再環境設定が失敗したかどうか判定する（１８０２）。失敗していなかった場合、方法１８００は終了する。
【００５７】
使用者装置は、再環境設定が失敗したと判定した場合（１８０２）、他のキャンプ可能なコンポーネントキャリアが存在するかどうか判定する（１８０４）。存在する場合、使用者装置は、タイマー（ＸＸ．ＹＹタイマー）が終了したかどうか判定する（１８０６）。まだ終了していない場合、使用者装置は、（上記タイマーによって指し示される）所定の時間周期内における再選択の失敗回数が、所定の値（”ｍ”）に等しいかどうか判定する（１８０８）。等しくない場合、使用者装置は、現時点でサービスしているｅＮＢにおける別のコンポーネントキャリアに再環境設定することを試みる（１８１０）。再環境設定の試みが失敗した場合、定められた時間周期内における再選択失敗の回数を示す変数が増加される（１８１２）。
【００５８】
使用者装置は、上記タイマーが終了したと判定した場合（１８０６）、上記タイマーを再スタートし（１８１４）、所定の周期時間内における再選択失敗の回数を示す変数をゼロにリセットする（１８１６）。使用者装置は現時点のサービスｅＮＢにおける他のコンポーネントキャリアに再環境設定し（１８１０）、上記の手順を継続する。
【００５９】
使用者装置は、他のキャンプ可能なコンポーネントキャリアが存在しないと判定した場合（１８０４）、他のｅＮＢを再選択し、タイマーを再スタートし（１８２０）、所定の周期時間内における再選択失敗の回数を示す変数をゼロにリセットする（１８２２）。
【００６０】
使用者装置は、所定の周期時間内における再選択失敗の回数が、ｍに等しいと判定した場合（１８０８）、他のｅＮＢを再選択し（１８１８）、上記の手順を継続する。
【００６１】
図１９は、再環境設定に失敗したあとで、他のｅＮＢの再選択が必要かどうか判定するため、使用者装置によって実行される他の方法１９００を示す。上記方法１９００では、使用者装置は、再環境設定が失敗したかどうか判定する（１９０２）。失敗していなかった場合、所定の周期時間内における再選択失敗の連続回数を示す変数はゼロにリセットされ（１９１４）、方法１９００は終了する。
【００６２】
使用者装置は、再環境設定が失敗したと判定した場合（１９０２）、他のキャンプ可能なコンポーネントキャリアが存在するかどうか判定する（１９０４）。存在していた場合、使用者装置は、再選択失敗の連続回数を示す変数が、所定の値”ｍ”に等しいかどうか判定する（１９０６）。等しくない場合、使用者装置は現時点でサービスしているｅＮＢにおける別のコンポーネントキャリアに再環境設定しようと試みる（１９０８）。上記再環境設定の試みが失敗した場合、使用者装置は、再選択失敗の連続回数を示す変数を増加する（１９１０）。
【００６３】
使用者装置は、他のキャンプ可能なコンポーネントキャリアが一つもないと判定した場合（１９０４）、他のｅＮＢを再選択する（１９１２）。また、使用者装置は、再選択失敗の連続回数がｍに等しいと判定した場合（１９０６）、他のｅＮＢを再選択する（１９１２）。そして、使用者装置は、再選択失敗の連続回数を示す変数をゼロにリセットする（１９１４）。
【００６４】
以上で、待機モードにある使用者装置のコンポーネントキャリア選択に関するシステムおよび方法を説明した。続いて、接続モードにある使用者装置のコンポーネントキャリア選択に関するシステムおよび方法を説明する。
【００６５】
ＬＴＥ−Ａｄｖａｎｃｅｄシステムに望まれる機能は、例えば、ｅＮＢが、コンポーネントキャリアＸにおいて送信および受信を行っている使用者装置に対して、コンポーネントキャリアの割り振りをコンポーネントキャリアＹに変更するように命令するといった「負荷バランス」が可能であることである。このような変更を効果的に実行するために、ｅＮＢは、ｅＮＢと使用者装置との間のチャネル状態（すなわち、上り回線および下り回線の両方のＲＦチャネル状態）を知ることが望ましい。ＬＴＥシステムは、使用者装置によって送信されたサウンディング参照信号（ＳＲＳ；Sounding Reference signal）、または、上り回線のチャネル状態を測定するためのスケジューリングされた時間／周波数位置における他の測定信号を用いる。上記システムは、下り回線のチャネル状態を判定するために、使用者装置によって測定されるサービス品質（ＱｏＳ；Quality of service）またはサービス等級（ＧｏＳ；Grade of service）に基づいて、受信信号強度表示（ＲＳＳＩ；Received signal strength indication）、チャネル品質指標（ＣＱＩ；Channel Quality Indicators）および他の基準を用いる。使用者装置によって取得された測定結果は、その後、上り回線のチャネル状態を測定するｅＮＢへ送信される。
【００６６】
ＬＴＥ ｅＵＴＲＡＮ（発展型ユニバーサル無線地上波アクセスネットワーク）の測定手順は、ｅＮＢが以下の情報および命令を使用者装置へ提供するための機構をサポートしていない。
【００６７】
１.他のコンポーネントキャリアの時間および周波数リソースを指示する上り回線リソース許可。これにより、使用者装置は、サウンディング参照信号または他の中間測定信号を送信する。
【００６８】
２.他のコンポーネントキャリアの時間および周波数リソースを指示する下り回線リソース許可。これにより、使用者装置は、参照信号（ＲＳ）および他のＱｏＳ基準を測定する。
【００６９】
３.時間および周波数リソースを指示する上り回線リソース許可。これにより、使用者装置は、ＲＳＳＩ、ＣＱＩ、ＱｏＳおよび／またはＧｏＳ測定結果をｅＮＢに返信する。
【００７０】
また、ｅＮＢは、使用者装置がどのコンポーネントキャリアに変更するように命令されることが望ましいかの判定をしたときに、上記上りおよび下り回線の測定結果を、現時点では考慮していない。
【００７１】
本開示に係る手段によれば、ＬＴＥ  ｅＵＴＲＡＮの測定手順が、必要となるスケジューリングおよびリソース許可を含むように拡張される。これにより、ｅＮＢが、使用者装置に対して、上り回線のチャネルでサウンディング参照信号を送信することと、下り回線のチャネルで参照信号を測定することと、当該測定結果をｅＮＢへ送信することと、を命令できるようにする。上記の拡張は、ｅＮＢが、使用者装置に対して変更を指示するべき最善のコンポーネントキャリアを決定するための手段を提供する。
【００７２】
接続モードにある使用者装置（ＵＥ）のためのコンポーネントキャリア（ＣＣ）選択の方法が開示される。発展型ノードＢ（ｅＮＢ）は、上り回線コンポーネントキャリアに対応する上り回線のチャネル状態情報、および、下り回線コンポーネントキャリアに対応する下り回線のチャネル状態情報を取得する。上記ｅＮＢは、上り回線のチャネル状態情報および下り回線のチャネル状態情報に基づいて、上記使用者装置が使用するためのコンポーネントキャリアのペアを選択する。
【００７３】
上り回線のチャネル状態情報を取得するために、上記ｅＮＢは、上記使用者装置が他の上り回線コンポーネントキャリアにおいてサウンディング参照信号（ＳＲＳ；a sounding reference signal）を送信できるように、上記使用者装置に環境設定（configuration）メッセージを送信する。また、上記ｅＮＢは、上記使用者装置に対し上記サウンディング参照信号を送信するよう指定している上記上り回線コンポーネントキャリアにおいて上記サウンディング参照信号を受信および測定する。ｅＮＢはまた、上り回線のコンポーネントキャリアにおけるサウンディング参照信号の測定結果に基づいて、上記上り回線のチャネル状態値を決定する。ｅＮＢはまた、各上り回線のコンポーネントキャリアについてのランキングオーダー（ranking order）を生成する。上記ランキングオーダーは、重み因子が適用されることにより、上り回線コンポーネントキャリアのチャネル状態値から導出される。
【００７４】
下り回線のチャネル状態情報を取得するために、上記ｅＮＢは、上記使用者装置が他の下り回線コンポーネントキャリアにおいて参照信号（ＲＳ；a reference signal）を測定できるように、上記使用者装置に環境設定メッセージを送信する。上記ｅＮＢは、上記使用者装置が他の下り回線コンポーネントキャリアの上記参照信号の測定結果を送信できるように、使用者装置のスケジューリングリソースを許可する。上記ｅＮＢは、上記使用者装置から受信した下り回線コンポーネントキャリアの上記参照信号の測定結果に基づき、下り回線コンポーネントキャリアのチャネル状態値を決定する。ｅＮＢは、各下り回線コンポーネントキャリアについてのランキングオーダーを生成する。上記ランキングオーダーは、重み因子を適用することにより、下り回線コンポーネントキャリアのチャネル状態値から導出される。
【００７５】
上記ｅＮＢは、上記使用者装置が待機モードから接続モードに移行したことを検知したときに、上記使用者装置のためのコンポーネントキャリア選択を開始する。また、ｅＮＢは、上記使用者装置がソースｅＮＢからのハンドオフを完了したことを検知したときに、上記使用者装置のためのコンポーネントキャリア選択を開始するターゲットｅＮＢである。また、上記ｅＮＢは、上記使用者装置がターゲットエリア（ＴＡ；a Target Area）の更新を行ったことを検知したときに、上記使用者装置のためのコンポーネントキャリア選択を開始する。
【００７６】
接続モードにある使用者装置（ＵＥ）のためのコンポーネントキャリア（ＣＣ）選択のために構成された発展型ノードＢ（ｅＮＢ）も開示される。上記ｅＮＢは、演算装置、上記演算装置と電気的に通信する記憶装置、および上記記憶装置に記憶された命令を含む。上記命令により、上り回線コンポーネントキャリアに対応する上り回線のチャネル状態情報を取得すること、および、下り回線コンポーネントキャリアに対応する下り回線のチャネル状態情報を取得することが実行可能である。また、上記命令により、上記上り回線のチャネル状態情報および上記下り回線のチャネル状態情報に基づいて、上記使用者装置のために使用するコンポーネントキャリアのペアを選択することが実行可能である。
【００７７】
接続モードにある使用者装置（ＵＥ）のためのコンポーネントキャリア（ＣＣ）選択の方法もまた開示される。ソース発展型ノードＢ（ｅＮＢ）は、ソースｅＮＢからターゲットｅＮＢへの使用者装置のハンドオフ後に上記使用者装置が使用する、上記ターゲットｅＮＢのターゲットコンポーネントキャリアの決定を開始する。上記ソースｅＮＢは、上記ターゲットｅＮＢに対する測定を行うように、上記使用者装置に命令する。上記ソースｅＮＢおよび上記ターゲットｅＮＢは、上記使用者装置が上記測定を行うために使用する時間／周波数リソースについて通信をする。
【００７８】
上記ソースｅＮＢは、上記使用者装置が上記ソースｅＮＢから上記ターゲットｅＮＢへのハンドオフの準備をすべきことを検知して、上記ターゲットコンポーネントキャリアの決定を開始する。また、上記ソースｅＮＢは、上記ソースｅＮＢから上記ターゲットｅＮＢへのハンドオフを上記使用者装置に準備させることに対応して、ターゲットコンポーネントキャリアの決定を開始する。
【００７９】
上記使用者装置は、上記ターゲットｅＮＢに上記測定の結果を送信する。上記ターゲットｅＮＢは、上記測定の結果を分析してターゲットコンポーネントキャリアを決定する。上記ターゲットｅＮＢは、上記使用者装置に上記ターゲットコンポーネントキャリアを通知する。
【００８０】
上記使用者装置は、上記ソースｅＮＢに上記測定の結果を送信する。上記ソースｅＮＢは、上記ターゲットｅＮＢに上記測定の結果を転送する。上記ターゲットｅＮＢは、上記測定の結果を分析してターゲットコンポーネントキャリアを決定する。上記ターゲットｅＮＢは、上記ソースｅＮＢに上記ターゲットコンポーネントキャリアを通知する。上記ソースｅＮＢは、上記使用者装置に上記ターゲットコンポーネントキャリアを通知する。
【００８１】
図２０は、使用者装置２００２およびｅＮＢ２００４を含む無線通信システム２０００を示す。使用者装置２００２およびｅＮＢ２００４は、ＬＴＥ−Ａｄｖａｎｃｅｄ標準に準拠して動作するように構成される。ｅＮＢ２００４に割り当てられた周波数帯域の全体は、上り回線コンポーネントキャリア２０１０ａおよび下り回線コンポーネントキャリア２０１０ｂを含む別々のコンポーネントキャリア２０１０に区分される。図２０に示されたその他の項目は、図２１に示された方法と対応付けて、以下において説明される。
【００８２】
図２１は、無線通信システム２０００におけるコンポーネントキャリア選択の方法２１００を示す。上記方法２１００は、使用者装置が接続モードにあるときに実行される。使用者装置２００２は、上り回線コンポーネントキャリア２０１０ａに対応する上り回線チャネル状態情報２０５６を取得する（２１０２）。使用者装置２００２はまた、下り回線コンポーネントキャリア２０１０ｂに対応する下り回線チャネル状態情報２０５８を取得する（２１０４）。使用者装置２００２は、上り回線チャネル状態情報２０５６および下り回線チャネル状態情報２０５８に基づいて、使用するコンポーネントキャリアのペア（例えば、上り回線コンポーネントキャリア２０１０ａおよびそれに対応する下り回線コンポーネントキャリア２０１０ｂ）を選択する（２１０６）。
【００８３】
図２２は、使用者装置２２０２およびｅＮＢ２２０４を含む他の無線通信システム２２００を示す。使用者装置２２０２およびｅＮＢ２２０４は、ＬＴＥ−Ａｄｖａｎｃｅｄ標準に準拠して動作するように構成されている。ｅＮＢ２２０４に割り当てられた周波数帯域の全体は、上り回線コンポーネントキャリア２２１０ａおよび下り回線コンポーネントキャリア２２１０ｂを含む、別々のコンポーネントキャリア２０１０に区分される。図２２に示す他の項目は、図２３に示す方法と対応付けて、以下において説明される。
【００８４】
図２３は、無線通信システム２２００におけるコンポーネントキャリア選択の方法２３００を示す。上記方法２３００は、使用者装置２２０２が接続モードにあるときに、ｅＮＢ２２０４において実行される。
【００８５】
方法２３００では、ｅＮＢ２２０４は、使用者装置２２０２が他の上り回線コンポーネントキャリア２２１０ａのサウンディング参照信号（ＳＲＳ）２２６０を送信できるように、使用者装置２２０２に環境設定メッセージ２２７６を送信する（２３０２）。ｅＮＢ２２０４は、使用者装置２２０２に対しサウンディング参照信号を送信するよう指定している上り回線コンポーネントキャリア２２１０ａのサウンディング参照信号２２６０を受信および測定する（２３０４）。
【００８６】
ｅＮＢ２２０４は、使用者装置２２０２が他の下り回線コンポーネントキャリア２２１０ｂの参照信号（ＲＳ）２２１２の測定を行えるように、使用者装置２２０２に環境設定（configuration）メッセージ２２７６を送信する（２３０６）。ｅＮＢ２２０４は、使用者装置２２０２が他の下り回線コンポーネントキャリア２２１０ｂにおいて得られる参照信号の測定結果２２６４を送信できるように、使用者装置２２０２のスケジューリングリソースを許可する（２３０８）。
【００８７】
ｅＮＢ２２０４は、上り回線コンポーネントキャリアにおけるサウンディング参照信号の測定結果２２６２に基づいて、上り回線コンポーネントキャリアのチャネル状態値２２６６を決定する（２３１０）。ｅＮＢ２２０４は、各上り回線コンポーネントキャリア２２１０ａについてのランキングオーダー（ranking order）２２７２を生成する（２３１２）。ランキングオーダー２２７２は、上り回線コンポーネントキャリアのチャネル状態値２２６６に重み因子２２７０を適用することによって導出される。重み因子２２７０は、例として、負荷、帯域分割、使用者装置のスピード、使用者装置の位置、時刻、月の満ち欠け状態などを含む。
【００８８】
ｅＮＢ２２０４は、使用者装置２２０２から受信した下り回線コンポーネントキャリアの参照信号の測定結果２２６４に基づいて、下り回線コンポーネントキャリアのチャネル状態値２２６８を決定する（２３１４）。ｅＮＢ２２０４は、それぞれの下り回線コンポーネントキャリア２２１０ｂについてのランキングオーダー（ranking order）２２７４を生成する（２３１６）。ランキングオーダー２２７４は、下り回線コンポーネントキャリアのチャネル状態値２２６８に重み因子２２７０を適用することによって導出される。
【００８９】
方法２３００は、ｅＮＢ２２０４が、ＬＴＥ−Ａｄｖａｎｃｅｄの使用者装置２２０２が待機モードから接続モードに移行したことを検知したことに応じて、ｅＮＢ２２０４によって実行される。あるいは、方法２３００は、ｅＮＢ２２０４が、ＬＴＥ−Ａｄｖａｎｃｅｄ標準の使用者装置２２０２がターゲットエリア（ＴＡ）の更新を開始したことを検知したことに応じて、ｅＮＢ２２０４によって実行される。ターゲットエリアはｅＮＢの論理的集合である。ターゲットエリアの更新は、（待機モードにあるときの）使用者装置２２０２が、ターゲットエリア［１］の一部であるｅＮＢから、ターゲットエリア［２］の一部であるｅＮＢに移行した（すなわち、再選択した）ことを、ＥＵＴＲＡに通知するための手順である。また、方法２３００は、ＬＴＥ−Ａｄｖａｎｃｅｄの使用者装置２２０２がソースｅＮＢからのハンドオフを完了したことを検知したことに対応して、ターゲットｅＮＢ２２０４によって実行される。
【００９０】
図２４は、使用者装置２４０２、ソースｅＮＢ２４０４ａ、およびターゲットｅＮＢ２４０４ｂを含む無線通信システム２４００を示す。使用者装置およびｅＮＢ２４０４ａ，２４０４ｂは、ＬＴＥ−Ａｄｖａｎｃｅｄ標準に準拠して動作するように構成される。ｅＮＢ２４０４ａ，２４０４ｂに割り当てられた周波数帯域の全体は、コンポーネントキャリア２４１０ａ，２４１０ｂに割り振られる。図２４に示すその他の項目は図２５および２６に示す方法と対応付けて、以下において説明される。
【００９１】
図２５は、無線通通信システム２４００におけるコンポーネントキャリア選択の方法２５００を示す。上記方法２５００は、使用者装置が接続モードであるときに実行される。ソースｅＮＢ２４０４ａは、使用者装置２４０２がソースｅＮＢ２４０４ａからターゲットｅＮＢ２４０４ｂへのハンドオフの準備をすべきことを検知する手順の一部において、方法２５００を開始する。
【００９２】
図示するように方法２５００では、ソースｅＮＢ２４０４ａは、ソースｅＮＢ２４０４ａからターゲットｅＮＢｂ２４０４ｂへの使用者装置２４０２のハンドオフ後に使用者装置２４０２が使用する、ターゲットｅＮＢ２４０４ｂのターゲットコンポーネントキャリア２４７８の決定を開始する（２５０２）。ソースｅＮＢ２４０４ａはターゲットｅＮＢ２４０４ｂに対する測定を行うように使用者装置２４０２に対して命令する（２５０４）。ソースｅＮＢ２４０４ａおよびターゲットｅＮＢ２４０４ｂは、使用者装置２４０２が測定を行うために使用する時間／周波数リソースについて通信する（２５０６）。使用者装置２４０２は、ターゲットｅＮＢ２４０４ｂに、測定結果２４８０を送信する（２５０８）。ターゲットｅＮＢ２４０４ｂは、測定結果２４８０を分析し、ターゲットコンポーネントキャリア２４７８を決定する（２５１０）。ターゲットｅＮＢ２４０４ｂは、使用者装置２４０２にターゲットコンポーネントキャリア２４７８を通知する（２５１２）。
【００９３】
図２６は、無線通信システム２４００におけるコンポーネントキャリア選択の別の方法２６００を示す。上記方法２６００は使用者装置２４０２が接続モードにあるときに実行される。ソースｅＮＢ２４０４ａは、ソースｅＮＢ２４０４ａからターゲットｅＮＢ２４０４ｂへのハンドオフを使用者装置２４０２に準備させる手順の一部において、方法２６００を開始する。
【００９４】
方法２６００において、ソースｅＮＢ２４０４ａは、ソースｅＮＢ２４０４ａからターゲットｅＮＢ２４０４ｂへの使用者装置２４０２のハンドオフ後に使用者装置２４０２が使用する、ターゲットｅＮＢ２４０４ｂのターゲットコンポーネントキャリア２４７８の決定を開始する（２６０２）。ソースｅＮＢ２４０４ａは、ターゲットｅＮＢ２４０４ｂに対する測定を行うよう使用者装置２４０２に対して命令する（２６０４）。ソースｅＮＢ２４０４ａおよびターゲットｅＮＢ２４０４ｂは、使用者装置２４０２が測定を行うために使用する時間／周波数リソースについて通信する（２６０６）。使用者装置２４０２は測定結果２４８０をソースｅＮＢ２４０４ａに送信する（２６０８）。ソースｅＮＢ２４０４ａは、測定結果２４８０をターゲットｅＮＢ２４０４ｂに転送する（２６１０）。ターゲットｅＮＢ２４０４ｂは、測定結果２４８０を分析し、ターゲットコンポーネントキャリア２４７８を決定する（２６１２）。ターゲットｅＮＢ２４０４ｂは、ソースｅＮＢ２４０４ａにターゲットコンポーネントキャリア２４７８を通知する（２６１４）。ソースｅＮＢ２４０４ａは、使用者装置２４０２にターゲットコンポーネントキャリア２４７８を通知する（２６１６）。
【００９５】
図２７は、再環境設定（reconfiguration）が実行される前に、他のコンポーネントキャリアを測定することを命令するＲＡＣＨ手順を示す。使用者装置２７０２はｅＮＢ２７０４に第１メッセージ２７０６を送信する。第１メッセージ２７０６は、ＰＲＡＣＨ（物理ランダムアクセスチャネル）を介して送信される。第１メッセージ２７０６は、６ビットのランダムＩＤ（別称”プリアンブル”）を含む。第１メッセージ２７０６は、物理層において開始される。
【００９６】
次に、ｅＮＢ２７０４は、使用者装置２７０２に第２メッセージ２７０８を送信する。第２メッセージ２７０８は、ＰＤＳＣＨを指し示すＰＤＣＣＨ[ＲＡ−ＲＮＴＩ]を介して送信される（ＰＤＣＣＨは物理的な下り回線のコントロールチャネルを表し、ＲＮＴＩは無線ネットワークの一時的識別子を表す）。ＰＤＳＣＨ（物理下り回線の共有チャネル）は、第１メッセージ２７０６に含まれるものと同様の６ビットのランダムＩＤ、ＵＬグラント（uplink grant）、タイミング先行命令、およびＴ−ＣＲＮＴＩ（一時的なセルＲＮＴＩ）を含む。第２メッセージ２７０８は、ＭＡＣ（メディア・アクセス・コントロール）層において開始される。
【００９７】
次に、使用者装置２７０２は、ｅＮＢ２７０４に第３メッセージ２７１０を送信する。第３メッセージ２７１０はＰＵＳＣＨ［ＵＬ−ＳＣＨ［ＣＣＣＨ］］（ＰＵＳＣＨは物理上り回線の共有チャネルを表し、ＵＬ−ＳＣＨは上り回線の共有チャネルを表し、ＣＣＣＨは共通コントロールチャネルを表す）を介して送信される。ＣＣＣＨは、３２ビットのＳ−ＴＭＳＩ（Ｓ−一時移動局加入識別子）またはランダム番号、およびＲＲＣ（無線リソースコントロール）接続要求を含む。第３メッセージ２７１０は、ＲＲＣにおいて開始される。
【００９８】
次に、ｅＮＢ２７０４は、使用者装置２７０２に第４メッセージ２７１２を送信する。第４メッセージ２７１２は、ＰＤＳＣＨを指し示すＰＤＣＣＨ［Ｔ−ＣＲＮＴＩ］を介して送信される。ＰＤＳＣＨは、ＲＲＣ接続セットアップを含む。第４メッセージ２７１２はＲＲＣにおいて開始される。
【００９９】
次に、使用者装置２７０２は、ｅＮＢ２７０４に第５メッセージ２７１４を送信する。第５メッセージ２７１４はＵＥ能力を示す。すなわち、使用者装置２７０２によってサポートされる機能を特定する。次に、ｅＮＢ２７０４は、使用者装置２７０２に第６メッセージ２７１６を送信する。第６メッセージ２７１６は、使用者装置２７０２に新たなコンポーネントキャリアに移行することを要求するＲＲＣ接続再環境設定（reconfiguration）メッセージを含む。
【０１００】
図２８は、再環境設定が実行される前に、他のコンポーネントキャリアを測定することを命令するＲＡＣＨ手順を示す。使用者装置２８０２は、ｅＮＢ２８０４に第１メッセージ２８０６を送信する。第１メッセージ２８０６は、ＰＲＡＣＨを介して送信される。第１メッセージ２８０６は、６ビットのランダムＩＤ（別称”プリアンブル”）を含む。第１メッセージ２８０６は、物理層において開始される。
【０１０１】
次に、ｅＮＢ２８０４は、使用者装置２８０２に第２メッセージ２８０８を送信する。第２メッセージ２８０８は、ＰＤＳＣＨを指し示すＰＤＣＣＨ［ＲＡ−ＲＮＴＩ］を介して送信される。ＰＤＳＣＨは、第１メッセージ２８０６に含まれるものと同様の６ビットのランダムＩＤ、ＵＬグラント、タイミング先行命令、およびＴ−ＣＲＮＴＩを含む。第２メッセージ２８０８はＭＡＣ層において開始される。
【０１０２】
次に、使用者装置２８０２は、ｅＮＢ２８０４に第３メッセージ２８１０を送信する。第３メッセージ２８１０はＰＵＳＣＨ［ＵＬ−ＳＣＨ［ＣＣＣＨ］］を介して送信される。ＣＣＣＨは、３２ビットのＳ−ＴＭＳＩまたはランダム番号およびＲＲＣ接続要求を含む。第３メッセージ２８１０はＲＲＣにおいて開始される。
【０１０３】
次に、ｅＮＢ２８０４は、使用者装置２８０２に第４メッセージ２８１２を送信する。第４メッセージ２８１２は、ＰＤＳＣＨを指し示すＰＤＣＣＨ［Ｔ−ＣＲＮＴＩ］を介して送信される。ＰＤＳＣＨは、ＲＲＣ接続セットアップを含む。第４メッセージ２８１２はＲＲＣにおいて開始される。
【０１０４】
次に、使用者装置２８０２は、ｅＮＢ２８０４に第５メッセージ２８１４を送信する。第５メッセージ２８１４は、ＵＥ能力を示している。すなわち、使用者装置２８０２によってサポートされる機能を特定する。次に、ｅＮＢ２８０４は、使用者装置２８０２に第６メッセージ２８１６を送信する。第６メッセージ２８１６は、上り回線コンポーネントキャリアにおけるＳＲＳの送信のための環境設定、下り回線コンポーネントキャリアにおける参照信号の受信のための環境設定、および測定結果を報告するための許可を含む、時間／周波数リソースを示している。次に、使用者装置２８０２およびｅＮＢ２８０４は、ＱｏＳのサウンディング参照信号の測定結果２８１８を交換する。次に、使用者装置２８０２は、ｅＮＢ２８０４に、他のコンポーネントキャリアからの参照信号測定結果を報告するメッセージ２８２０を送信する。ｅＮＢ２８０４は、使用者装置２８０２に、新たなコンポーネントキャリアに移行することを要求するＲＲＣ接続再環境設定メッセージを送信する。
【０１０５】
図２９Ａおよび２９Ｂは、使用者装置にとって最善のコンポーネントキャリア周波数帯域のペアを決定するために、ｅＮＢによって実行される方法２９００を示す。上記方法２９００では、ｅＮＢは、使用者装置がＬＴＥ−Ａｄｖａｎｃｅｄ型であるかどうか判定する（２９０２）。そうでない場合、方法２９００は終了する。使用者装置がＬＴＥ−Ａｄｖａｎｃｅｄ型である場合、ｅＮＢは、使用者装置のために使用可能であると判断する上り回線コンポーネントキャリアの集合として“Ｙ１…Ｙｎ”を、そして、使用者装置のために使用可能であると判断する下り回線コンポーネントキャリアの集合として“Ｘ１…Ｘｎ”を定義する（２９０４）。
【０１０６】
ｅＮＢは、Ｙ１…Ｙｎの上り回線コンポーネントキャリアにおいてサウンディング参照信号を送信するための時間および周波数リソースを特定するSoundingRS-UL-ConfigのＩＥを作成する（２９０６）。ｅＮＢは、Ｘ１…Ｘｍの下り回線コンポーネントキャリアにおいて参照信号を受信するための時間および周波数リソースと測定ギャップとを特定する測定環境設定のＩＥを作成する（２９０８）。ｅＮＢは、ＲＲＣ接続再環境設定メッセージを介して、測定環境設定のＩＥおよびSoundingRS-UL-ConfigのＩＥを送信する（２９１０）。ｅＮＢは、使用者装置がＸ１…Ｘｍの下り回線コンポーネントキャリアにおける参照信号測定結果を報告できるように、ＵＬグラント（UL grant）を送信する（２９１２）。
【０１０７】
ｅＮＢは、サウンディング参照信号の送信を測定する準備ができていると判断したとき（２９１４）、Ｙ１…Ｙｎの上り回線コンポーネントキャリアにおける指定された時間および周波数リソースにおいて、使用者装置により送信されたサウンディング参照信号を測定する（２９１６）。ｅＮＢは、使用者装置から参照信号の測定結果を受信する準備ができていると判断した時（２９１８）、SoundingRS-UL-ConfigのＩＥによって定義された、Ｘ１…Ｘｍの下り回線コンポーネントキャリアの参照信号の測定結果を、スケジューリングされたＵＬグラント帯域を使用する使用者装置から受信する（２９２０）。
【０１０８】
ｅＮＢは、サウンディング参照信号および参照信号の測定結果が取得されたと判断した時（２９２２）、それぞれのコンポーネントキャリアのチャネル状態を判定するために、Ｙ１…Ｙｎの上り回線コンポーネントキャリアのサウンディング参照信号の測定結果を分析する（２９２４）。ｅＮＢはまた、それぞれのコンポーネントキャリアのチャネル状態を判定するために、Ｘ１…Ｘｍの下り回線コンポーネントキャリアの参照信号測定結果を分析する（２９２６）。ｅＮＢは、Ｙ１…Ｙｎの上り回線コンポーネントキャリアのランキングオーダーを（例えば、負荷などの因子を含めて）生成する（２９２８）。ｅＮＢは、Ｘ１…Ｘｍの下り回線コンポーネントキャリアのランキングオーダーを（例えば、負荷などを因子として含めて）生成する（２９３０）。ｅＮＢは、（もしあれば、）どの上り回線コンポーネントキャリアと下り回線コンポーネントキャリアのペアを再選択することが、使用者装置にとって最も適切であるかを判定するため、上り回線コンポーネントキャリアのランキングオーダーおよび下り回線コンポーネントキャリアのランキングオーダーを分析する（２９３２）。ｅＮＢは、RRCConnectionReconfigurationメッセージを介して、最も適切なコンポーネントキャリアのペア帯域を再選択するように使用者装置に命令するためのMobilityControlInfo  ＩＥを送信する（２９３４）。
【０１０９】
図３０は、通信装置３００２において使用される各種の構成要素を示す。通信装置３００２は、使用者装置またはｅＮＢである。通信装置３００２は、通信装置３００２の動作を制御する演算部３００６を備える。演算部３００６は、ＣＰＵとも呼ばれる。読み取り専用メモリ（ＲＯＭ）、ランダムアクセスメモリ（ＲＡＭ）、または、情報を記憶する各種装置を含む記憶部３００８は、演算部３００６に対して命令３００７ａおよびデータ３００９ａを供給する。また、記憶部３００８は、その一部として不揮発性のランダムアクセスメモリ（ＮＶＲＡＭ）も含む。命令３００７ｂおよびデータ３００９ｂもまた、演算部３００６内に存在している。また、演算部３００６にロードされている命令３００７ｂは、演算部３００６において実行されるために記憶部３００８からロードされた命令３００７ａも含む。命令３００７は、本明細書に開示された方法を実行するために、演算部３００６によって実行される。
【０１１０】
また、通信装置３００２は、データの送信および受信をするための送信部３０１０および受信部３０１２を収納した収納部を備える。送信部３０１０および受信部３０１２は送受信部３０２０に一体化される。アンテナ３０１８は上記収納部に取り付けられ、送受信部３０２０に電気的に連結される。追加のアンテナもまた使用されうる。
【０１１１】
通信装置３００２の各種コンポーネントは、パワーバス、コントロール信号バス、および状態信号バス、さらにはデータバスを含むバスシステム３０２６によって連結される。しかしながら、明解にするため、上記各種バスは、図３０では、バスシステム３０２６として示す。また、通信装置３００２は、演算信号に使用されるデジタル信号処理部（ＤＳＰ）を備える。また、通信装置３００２は、通信装置３００２の機能へのユーザーアクセスを提供する通信インターフェース３０２４も含む。図３０に示す通信装置３００２は、具体的なコンポーネントのリストというよりは、むしろ機能ブロック図である。
【０１１２】
上記の開示によれば、本発明は、待機モードにあるときにおけるコンポーネントキャリア（ＣＣ）選択のために構成された使用者装置（ＵＥ）を提供する。使用者装置は、発展型ノードＢ（ｅＮＢ）から参照信号（ＲＳ）を受信するユニット（例えば受信部３０１２）と、上記参照信号に関する信号品質測定結果を取得するユニット（例えば演算部３００６）と、上記信号品質測定結果に基づいて新たなコンポーネントキャリアに切り換えるユニット（例えば演算部３００６）とを含む。
【０１１３】
上記の開示によれば、本発明は、接続モードにある使用者装置（ＵＥ）のためのコンポーネントキャリア（ＣＣ）選択のために構成された発展型ノードＢ（ｅＮＢ）を提供する。ｅＮＢは、上り回線コンポーネントキャリアに対応する上り回線のチャネル状態情報および下り回線コンポーネントキャリアに対応する下り回線のチャネル状態情報を取得するユニット（例えば受信部３０１２）と、上記上り回線のチャネル状態情報および上記下り回線のチャネル状態情報に基づいて、上記使用者装置が使用するコンポーネントキャリアのペアを選択するユニット（例えば演算部３００６）とを含む。
【０１１４】
本発明によれば、待機モードにある使用者装置（ＵＥ；a User equipment）において実行されるコンポーネントキャリア（ＣＣ；component carrier）選択の方法が提供される。上記方法は、発展型ノードＢ（ｅＮＢ；an evolved Node B）から参照信号（ＲＳ；a reference signal）を受信するステップと、上記参照信号に関する信号品質測定結果を取得するステップと、上記信号品質測定結果に基づいて、新たなコンポーネントキャリアに切り換えるステップとを含む。
【０１１５】
本発明によれば、待機モードにおけるコンポーネントキャリア（ＣＣ）選択のために構成された使用者装置（ＵＥ）が提供される。上記使用者装置（ＵＥ）は、発展型ノードＢ（ｅＮＢ）から参照信号（ＲＳ）を受信するユニットと、上記参照信号に関する信号品質測定結果を取得するユニットと、上記信号品質測定結果に基づいて、新たなコンポーネントキャリアに切り換えるユニットとを備える構成である。
【０１１６】
本発明によれば、発展型ノードＢ（ｅＮＢ）において実行される、接続モードにある使用者装置（ＵＥ）ためのコンポーネントキャリア（ＣＣ）選択の方法が提供される。上記方法は、上り回線コンポーネントキャリアに対応する上り回線のチャネル状態情報を取得するステップと、下り回線コンポーネントキャリアに対応する下り回線のチャネル状態情報を取得するステップと、上記上り回線のチャネル状態情報および上記下り回線のチャネル状態情報に基づいて、上記使用者装置が使用するためのコンポーネントキャリアのペアを選択するステップとを含む。
【０１１７】
本発明によれば、接続モードにある使用者装置（ＵＥ）のためのコンポーネントキャリア（ＣＣ）選択のために構成された発展型ノードＢ（ｅＮＢ）が提供される。上記ｅＮＢは、上り回線コンポーネントキャリアに対応する上り回線のチャネル状態情報を取得するユニットと、下り回線コンポーネントキャリアに対応する下り回線のチャネル状態情報を取得するユニットと、上記上り回線のチャネル状態情報および上記下り回線のチャネル状態情報に基づいて、上記使用者装置が使用するためのコンポーネントキャリアのペアを選択するユニットとを備える。
【０１１８】
本発明によれば、接続モードにある使用者装置（ＵＥ）のためのコンポーネントキャリア（ＣＣ）選択の方法が提供される。上記方法は、ソース発展型ノードＢ（ｅＮＢ）が、該ソースｅＮＢからターゲットｅＮＢへの上記使用者装置のハンドオフ後に、上記使用者装置が使用する、上記ターゲットｅＮＢのターゲットコンポーネントキャリアの決定を開始するステップと、上記ソースｅＮＢが、上記ターゲットｅＮＢに対する測定を行うように上記使用者装置に対して命令するステップと、上記ソースｅＮＢおよび上記ターゲットｅＮＢが、上記使用者装置が上記測定を行うために使用する時間／周波数リソースについて通信するステップとを含む。
【０１１９】
本明細書書で開示された方法は、記載された方法を達成するための、一以上の段階または行動を含む。方法の段階および／または行動は、請求の範囲の目的から外れることなく、それぞれを交換してもよい。他の言葉で言えば、記載された方法の適切な動作のために、段階または行動に特定の順序が要求されることがない限り、上記順序、および／または、特定の段階および／または行動の用途は、請求の範囲の目的から外れることなく改変してもよい。
【０１２０】
請求の範囲は、以上に示された厳密な構成および要素に限定されないことが理解されるであろう。請求の範囲の目的から外れることなく、設計、動作、および本明細書に記載されたシステム・方法・装置の詳細に対して、各種改変、交換および変更を行ってもよい。
【図１】
0005417486.tif 000002
【図２】
0005417486.tif 000003
【図３】
0005417486.tif 000004
【図４】
0005417486.tif 000005
【図５】
0005417486.tif 000006
【図６】
0005417486.tif 000007
【図７】
0005417486.tif 000008
【図８】
0005417486.tif 000009
【図９】
0005417486.tif 000010
【図１０】
0005417486.tif 000011
【図１１】
0005417486.tif 000012
【図１２】
0005417486.tif 000013
【図１３】
0005417486.tif 000014
【図１４】
0005417486.tif 000015
【図１５】
0005417486.tif 000016
【図１６】
0005417486.tif 000017
【図１７】
0005417486.tif 000018
【図１８】
0005417486.tif 000019
【図１９】
0005417486.tif 000020
【図２０】
0005417486.tif 000021
【図２１】
0005417486.tif 000022
【図２２】
0005417486.tif 000023
【図２３】
0005417486.tif 000024
【図２４】
0005417486.tif 000025
【図２５】
0005417486.tif 000026
【図２６】
0005417486.tif 000027
【図２７】
0005417486.tif 000028
【図２８】
0005417486.tif 000029
【図２９Ａ】
0005417486.tif 000030
【図２９Ｂ】
0005417486.tif 000031
【図３０】
0005417486.tif 000032